(57)【要約】【課題】大空間を構築できる耐力を持つ構造システムを生産性の高い材料で、要求に応じ構成でき、施工時間短縮、軽量化、職種統合による建設コスト削減を可能としデザインにも優れた構造部材。【解決手段】トラスを構成する上下の弦材が、その長さ方向に平行な面で左右対称となるように分割され、前記分割された分割面にはつなぎ材を摩擦接合するための平面が設けられ、前記平面から弦材外側面に貫通するつなぎ材取付け用ボルト穴を有し、上部弦材の前記平面の上部には上面附帯物取付け部、下部弦材の前記平面の下部には下面附帯物取付け部を有する形状にそれぞれ押し出し一体成形されてなるトラス用構造材。【選択図】　図１
2004143857.tif 000002
【特許請求の範囲】
【請求項１】
トラスを構成する上下の弦材が、その長さ方向に平行な面で左右対称となるように分割され、前記分割された分割面にはつなぎ材を摩擦接合するための平面が設けられ、前記平面から弦材外側面に貫通するつなぎ材取付け用ボルト穴を有し、上部弦材の前記平面の上部には上面附帯物取付け部、下部弦材の前記平面の下部には下面附帯物取付け部を有する形状にそれぞれ押し出し一体成形されてなるトラス用構造材。
【請求項２】
前記上部弦材の上面に排水溝挿入溝及びガスケット挿入溝を一体成形されてなることを特徴とする請求項１記載のトラス用構造材。
【請求項３】
前記つなぎ材取付けボルト穴にカバーを設けてなることを特徴とする請求項１又は２に記載のトラス構造材。
【請求項４】
前記つなぎ材取付けボルト穴の外側端部にサッシ取付け用リブを設け、該つなぎ材取付けボルト穴の下面と前記リブ内壁面が雨樋を形成していることを特徴とする請求項１ないし３のいずれかに記載のトラス構造材。
【発明の詳細な説明】
【０００１】
【発明の属する技術分野】
本発明はトラス用構造材に関する。
【０００２】
【従来の技術】
大空間のアトリウムなどを建築する場合、まずスチールの梁背の大きなＨ形構造材やトラスで構造骨組を施工し、その後、サッシ工事、ガラス工事がそれぞれ別工事として施工されている。このように構造と２次部材であるサッシが別々に収められる場合、サッシにも風邪や積雪等による荷重に耐える部材が必要となってきた。また、職種を異にする各工事はそれぞれ専門の施工者による別工事として施工されているため、工事施工職種が多岐に渡り工事時間及びコストがかかるという問題があるに加え、デザイン的にも斬新さに乏しいものとなっていた。
【０００３】
【発明が解決しようとする課題】
上記の現状に鑑み、大空間を構築するに足る耐力を持った構造システムを、生産性の高い小さな部材で、要求に応じて構成し、併せて、施工時間の短縮、軽量化、職種の統合等による建設コストの削減と新しいデザインの創出を同時に満たす構造部材を課題とする。
【０００４】
【課題を解決するための手段】
本発明は下記　（１）〜（５）　により前記課題を解決するものである。
（１）　トラスを構成する上下の弦材が、その長さ方向に平行な面で左右対称となるように分割され、前記分割された分割面にはつなぎ材を摩擦接合するための平面が設けられ、前記平面から弦材外側面に貫通するつなぎ材取付け用ボルト穴を有し、上部弦材の前記平面の上部には上面附帯物取付け部、下部弦材の前記平面の下部には下面附帯物取付け部を有する形状にそれぞれ押し出し一体成形されてなるトラス用構造材。
（２）　前記上部弦材の上面に排水溝挿入溝及びガスケット挿入溝を一体成形されてなることを特徴とする請求項１記載のトラス用構造材。
（３）　前記つなぎ材取付けボルト穴にカバーを設けてなることを特徴とする請求項１又は２に記載のトラス構造材。
（４）　前記つなぎ材取付けボルト穴の外側端部にサッシ取付け用リブを設け、該つなぎ材取付けボルト穴の下面と前記リブ内壁面が雨樋を形成していることを特徴とする請求項１ないし３のいずれかに記載のトラス構造材。
【０００５】
【発明の実施の形態】
本発明はアルミニウムやスチールの押出材を用い、建築構造用トラスを構成すると共に、ガラスやサッシ等の二次部材システムを簡便に取付け、さらに水密性能の向上や施工コストの削減を図り、併せて斬新なデザインを提案しようとするものである。以下、図面を参照して本発明を具体的に説明する。
【０００６】
構造用梁は重心から離れた部分に大きな面積のある形状とするのが、合理的で経済的であるため、本発明の構造部材の断面は、弦材の外側に大きな面積を持たせ、弦材梁の重心側につなぎ材を高力ボルトにより接合する摩擦接合用平面を設ける。図５（ａ）〜（ｄ）は本発明のトラス構造材を用いた梁構造の種々の実施態様を弦材の正面図及び長さ方向に直交する断面図を示す。上部弦材１、下部弦材２は各々その長さ方向に平行な面で分割されていて、分割面でつなぎ材３を挟みこんだ状態で、高力ボルト４で接合固定されている。
【０００７】
図５（ａ）は、上下弦材の中間部につなぎ材を挟み、複数個の高力ボルトで接合することにより、曲げ合成を確保するフィーレンディール型トラス梁、図５（ｂ）は、上下弦材の中間に該上下弦材と位置をずらして高力ボルト接合する合成梁、図５（ｃ）は、オーソドックスなトラス梁、図５（ｄ）は、上下弦材間隔を変えたトラス梁を示す。
【０００８】
上下の弦材を分割せず、Π形状の一体型とすることも考えられるが、大型押出材の生産性と高力ボルトによる摩擦係合を確実に行うため、つなぎ材のセンターを軸に分割するものとしている。分割した上下の弦材は中空の箱形形状とし、ひとつの部材とすることもできるが、　構造用部材と上下面にサッシ等を取付ける中空ボルトの頭部などを収納する溝や大型ボルトのナット等を挿入する溝等が形成される構造としている。
【０００９】
図１は本発明のトラス構造材の一実施態様を示す断面図であり、トラスを組み立てる前の状態を示している。上部弦材１は長さ方向に平行な面で１ａと１ｂに左右に二分割された形状、下部弦材２も同様に２ａと２ｂに二分割された形状であり、つなぎ材３と接合する面として摩擦接合用平面５がそれぞれの分割された面側に設けてある。つなぎ材３には高力ボルト用穴６が設けてある。
また上部弦材１ａ、１ｂの各摩擦接合用平面５の上部には上ボルト頭部挿入用半溝８が、下部弦材２ａ，２ｂの各摩擦接合用平面５の下部には下ボルト頭部挿入用半溝９が設けてある。上ボルト１０はトラスの上部に設ける付帯設備取付け用であり、下ボルト１１はトラス下部に設ける付帯設備取付け用である。下ボルトとして重量物吊り下げ金物用ボルトを用いると、照明器具、音響機器、ゴンドラ等の重量物を吊り下げることができる。
上部弦材１ａ，１ｂの上面には排水溝挿入溝１２及びガスケット挿入溝１３が一体成形されている。
【００１０】
図２は図１のトラス構造材を組み立てトラス梁とし、サッシを取付けた状態を示す説明図である。図示のように高力ボルト４及びナット７で上部弦材１ａ，１ｂ、下部弦材２ａ，２ｂとつなぎ材３を接合したときに、摩擦接合用平面５以外にはつなぎ材３と上部弦材１ａ，１ｂと下部弦材２ａ，２ｂが接触することのないよう、クリアランス１４を確保した構造としている。
上部弦材１ａ、１ｂの上面の排水溝挿入溝１２には雨水排水溝１５、ガスケット挿入溝１３にはガスケット１６が挿入され、さらにガラス１７、ガラス抑え取付け材１８、ガラス抑え１９が取り付けられ、上ボルト１０で固定されている。
下部弦材２ａ，２ｂの下ボルト頭部挿入溝には下ボルト１１として、重量物吊り下げ金物用ボルトが取付けられている。２０はボルト頭当て板、２１はボルト貫通部切り欠き穴（溝）である。
【００１１】
実施例２
図３は、本発明の他の実施態様を示し、図１，図２と共通する構成又は部品については同じ符号を付している。図３の上部弦材１ａ，１ｂ，下部弦材２ａ，２ｂは同一断面とし、サッシ枠２２を上部にボルト止めとした例である。この例では雨水排水溝はサッシ枠２２内にセットされている。この例は大型トラス構造材が一種類で構成されるため経済的効果がある。
【００１２】
実施例３
図４は、本発明のさらに他の実施態様を示し、図１〜図３と共通する構成又は部品については同じ符号を付している。上部弦材１ａ，１ｂ及び下部弦材２ａ，２ｂは図３のものとほぼ同じ形状であるが、カバーやサッシ枠を嵌め併せるガイド２３およびカバー取付けやサッシ用リブ２４、フィン２５を設け、カバー２６を取付けてある。３１は遮熱，排熱スクリーンである。
下部弦材２ａ，２ｂのカバー等取付けフィン２４、同フィン２５の間に板ナット２７を挟み込み、サッシ取付けネジ２８を介してサッシ枠２２を取付けてある。２９は防水シール、３０はサッシ抑え金物である。
【００１３】
図６は、トラス梁を格子状に組み立てた本発明の一実施態様の斜視図であり、図１〜図５と共通する構造又は部品には共通する符号を付してある。図６の例では十字型のつなぎ材を使用しているが、必要に応じて５枚型つなぎ材、６枚型つなぎ材、あるいは１枚のつなぎ材にＶ型ツナギ材を組み合わせる方法などに対応することもできる。雨樋は排水経路に応じて、接着可能で寸法調整やガラス等との密着性に優れた弾力性のある素材で成形する。
【００１４】
本発明のトラス構造材の材質としては、例えばアルミニウム合金製押出し形材で建築構造用材料として認められているものが用いられるが、集成木材や押出鋼で制作することもできる。
【発明の効果】
本発明によるトラス用構造材は、大スパンのアトリウムやおよび大屋根のための構造を、自由度のあるデザインや経済性を考慮しながら組み立てることができる。構造材にはガラス等を取り付けるサッシ機能が一体化され、万が一ガラス周辺部から発生した漏水を排出する排水溝を極めて簡単に設置する溝等も一体的に成形されているため、工事は大変簡単に行うことができる。
このトラス用構造材は、トラス構造の側面や下面にもサッシや屋根葺き材を取り付けることができるため、一枚のガラスによるアトリウムばかりではなく、遮熱板や断熱性の優れた天井材を組み合わせることも可能で、中間部分を通風空間とすることで、省エネルギーに貢献する建築空間を造ることができる。
また、大スパンのトラスの側面にサッシを取り付けることにより、構造上必要な梁背の範囲内で、ガラス屋根等が設置できるので、大きな空間をよりスリムな建築空間として造ることができる。
【図面の簡単な説明】
【図１】本発明の一実施態様を示す概略説明図である。
【図２】図１の構造材に排水溝、ガスケット、ガラス等を取り付けた例を示す概略説明図である。
【図３】本発明の他の実施態様を示す概略説明図である。
【図４】本発明のさらに他の実施態様を示す概略説明図である。
【図５】本発明のトラス構造材を組み立てた種々の形態を示す図である。
【図６】本発明のトラス構造材を格子状に組み立てる工程の途中を示す斜視図である。
【符号の説明】
１，１ａ及び１ｂ　上部弦材
２，２ａ及び２ｂ　下部弦材
３　つなぎ材
４　高力ボルト
５　摩擦接合用平面
６　高力ボルト用穴
７　ナット
８　上ボルト頭部挿入用半溝
９　下ボルト頭部挿入用半溝
１０　上ボルト
１１　下ボルト
１２　排水溝挿入溝
１３　ガスケット挿入溝
１４　クリアランス
１５　雨水排水溝
１６　ガスケット
１７　ガラス
１８　ガラス抑え取付け材
１９　ガラス抑え
２０　ボルト頭当て板
２１　ボルト貫通部切り欠き穴（溝）
２２　サッシ枠
２３　カバー等取付けガイド
２４　カバー等取付けフィン（外部）
２５　カバー等取付けフィン（内部）
２６　カバー
２７　板ナット
２８　サッシ取付けねじ
２９　防水シール
３０　サッシ抑え金物
３１　遮熱、排熱スクリーン
【図１】
2004143857.tif 000003
【図２】
2004143857.tif 000004
【図３】
2004143857.tif 000005
【図４】
2004143857.tif 000006
【図５】
2004143857.tif 000007
【図６】
2004143857.tif 000008